(57)【要約】【課題】  ユーザー要求を確実に実行できる画像処理装置を提供する。【解決手段】  所定の機能、設定をあらかじめ登録しておくことができ、登録機能、設定を後にワンタッチで呼び出すことができる画像処理装置であって、電源を投入して装置を起動した時に、自動的に登録機能、設定を呼び出す機能を有する制御手段１を備えた。【選択図】        図１
2005260830.tif 000002
【特許請求の範囲】
【請求項１】
所定の機能、設定をあらかじめ登録しておくことができ、登録した前記所定の機能、設定を後でワンタッチで呼び出すことができる画像処理装置であって、電源を投入して装置を起動した際に、自動的に前記所定の機能、設定を呼び出す制御手段を備えたことを特徴とする画像処理装置。
【請求項２】
ユーザーコードを含むユーザー識別情報を登録し、装置を使用するに当たり前記ユーザー識別情報を入力し、登録ユーザー識別情報と入力ユーザー識別情報を照合して装置の使用を許可、不許可する使用許否手段を備えた画像処理装置であって、電源を投入して装置を起動した際に、前記使用許否手段が使用を許可している時には、自動的に登録機能、設定を呼び出すことを禁止する制御手段を備えたことを特徴とする画像処理装置。
【請求項３】
請求項２に記載の画像処理装置において、前記制御手段は、装置の使用を許可されたユーザー毎に、自動的に呼び出す機能、設定を変えるように制御することを特徴とする画像処理装置。
【発明の詳細な説明】
【技術分野】
【０００１】
本発明は、複写機、プリンタ等の画像処理装置に関し、特に、所定の機能、設定をあらかじめ登録しておくことができ、前記登録機能、設定を後でワンタッチで呼び出すことができる画像処理装置に関するものである。
【背景技術】
【０００２】
従来、画像処理装置においては、操作表示部からの一連の操作によって指示された、装置を動作させるために必要な設定パラメータを、未登録のワンタッチキーの押下により、そのワンタッチキーに対応して通常の動作ジョブファイルとして登録し、ユーザーはこのワンタッチキーの押下により、登録されたプログラムを繰り返し実行することができるようになっているものが主流であった（例えば、特許文献１参照）。
【特許文献１】特開２０００−１９４４８２公報
【発明の開示】
【発明が解決しようとする課題】
【０００３】
上記の機能を有する画像処理装置においては、プログラム実行する場合に常にユーザー自らが実行を指示しなければならず、例えば電源オン時には必ずメールを受信したい、必ず情報サービスから最新の情報を取得したい、必ず通信管理レポートを出力しておきたい、などの決まった要求を自動的に実行する手段がなかった。
本発明は、ユーザー要求を確実に実行できる画像処理装置を提供することを目的とする。
【課題を解決するための手段】
【０００４】
上記目的を達成するために、請求項１記載の発明は、所定の機能、設定をあらかじめ登録しておくことができ、登録した前記所定の機能、設定を後でワンタッチで呼び出すことができる画像処理装置であって、電源を投入して装置を起動した際に、自動的に前記所定の機能、設定を呼び出す制御手段を備えたことを特徴とする。
請求項２記載の発明は、ユーザーコードを含むユーザー識別情報を登録し、装置を使用するに当たり前記ユーザー識別情報を入力し、登録ユーザー識別情報と入力ユーザー識別情報を照合して装置の使用を許可、不許可する使用許否手段を備えた画像処理装置であって、電源を投入して装置を起動した際に、前記使用許否手段が使用を許可している時には、自動的に登録機能、設定を呼び出すことを禁止する制御手段を備えたことを特徴とする。
請求項３記載の発明は、請求項２に記載の画像処理装置において、前記制御手段は、装置の使用を許可されたユーザー毎に、自動的に呼び出す機能、設定を変えるように制御することを特徴とする。
【発明の効果】
【０００５】
本発明の画像処理装置においては、電源オン時にユーザーが毎回指示をしなくても自動的にプログラム実行を行ってくれるので、例えば電源オン時には必ずメールを受信したい、必ず情報サービスから最新の情報を取得したい、必ず通信管理レポートを出力しておきたい、などのユーザー要求を確実に実行できる。
また、装置の使用を制限している時にはプログラム実行を行わないことで、不正なユーザーによる装置の使用を妨げる効果がある。
また、ユーザーログインのタイミングとプログラム自動実行を組み合わせることで、正規のユーザーは不便を被ることなく、プログラムの自動実行による恩恵を受けることができる。
【発明を実施するための最良の形態】
【０００６】
以下、本発明の実施の形態を図面に従って説明する。
図１は本発明の実施の形態に係る画像処理装置のハードウェア構成例を示す図である。本画像処理装置において、ＣＰＵ１は装置全体の制御を司るものであり、その制御下にＲＯＭ２、ＲＡＭ３、ＮＶＲＡＭ４、パネル制御部５と操作パネル６、エンジン制御部７とスキャン／プリントエンジン８、ディスクドライバ９と記憶装置１０、モデム１１、外部Ｉ／Ｆ１２、通信制御部１３がデータバス１４を介して接続されている。
ＲＯＭ２は、プログラムコード、フォント、及びその他の静的なデータが格納されている。ＲＡＭ３は、一時的な記憶場所として利用される。ＮＶＲＡＭ４は、不揮発性のデータを格納しておく。パネル制御部５と操作パネル６は、ユーザーとのインターフェースを司る。
エンジン制御部７とスキャン／プリントエンジン８は、イメージデータの入出力ユニットとして、紙原稿の読み取りと転写紙への印刷を実行する。ディスクドライバ９と記憶装置１０は、大量のイメージデータなどを蓄積したり、データベースの記憶場所として利用される。
モデム１１は、公衆回線と接続され外部の機器との通信を可能とする。外部Ｉ／Ｆ１２は、セントロニクスやＲＳ−２３２Ｃ等のインターフェースを用いてホスト等の外部機器との通信を可能とする。通信制御部１３は、イーサネット（登録商標）等のネットワーク１５に接続され、外部機器との通信を可能とする。データバス１４は、各種デバイス間及びＣＰＵ１とデバイス間の通信を可能とする。
【実施例１】
【０００７】
本発明における画像処理装置の基本動作について説明する。図２は本発明における基本プログラム登録のフローチャートである。まず、ユーザーは操作パネル６を通して通常の機能実行と同様に装置を操作し（Ｓ１）、必要な設定が全て終了した時点でプログラム登録キーを押下する（Ｓ２）。
するとそこでの機能及び設定をプログラム登録対象として、次にユーザーは装置の起動時にそのプログラムを実行するかどうかを選択できる（Ｓ３）。ここで選択した起動時実行設定がプログラム情報と共に装置のＮＶＲＡＭ４または記憶装置１０に登録される（Ｓ５）。
図５は本発明における電源投入時の自動プログラム実行機能のフローチャートである。ユーザーが装置の電源を投入し、装置の初期化が終了すると（Ｓ１１）、ＣＰＵ１はＮＶＲＡＭ４または記憶装置１０からプログラム登録情報を検索し、起動時に実行すべきプログラム登録が存在すれば（Ｓ１２でＹ）、そのプログラム情報に従って機能を実行する（Ｓ１３）。ここでの機能は例えば、メール受信、情報提供サービスからの情報取り出し、などである。
【実施例２】
【０００８】
図３は本発明におけるユーザー認証有効時のプログラム実行に関する、プログラム登録のフローチャートである。前半は図２の（Ａ）（Ｓ１〜Ｓ４）と同一フローであるので、説明は省略する。
（Ａ）においてユーザーが装置の起動時にそのプログラムを実行するかどうかを選択した後、さらに、ユーザー認証有効時でも起動時にはそのプログラムを実行するかどうかを選択できる（Ｓ５）。ユーザー認証が有効とは、操作パネル６にログイン画面を出すなどして装置の使用を制限する状態のことを指している。ここで選択した起動時実行設定がプログラム情報と共に装置のＮＶＲＡＭ４または記憶装置１０に登録される（Ｓ７）。
図６は本発明におけるユーザー認証機能を有効にしている場合の電源投入時に関するフローチャートである。ユーザーが装置の電源を投入し、装置の初期化が終了すると（Ｓ２１）、ＣＰＵ１は装置の現在の状態が、ユーザー認証を有効にしている（ユーザーを制限している）状態かどうかを判断する（Ｓ２２）。
ここでユーザー認証が有効でないか（Ｓ２２でＮ）、または図３で登録したプログラム情報の中に、ユーザー認証が有効でも常にプログラム実行を行う（Ｓ２３でＹ）と設定されているものが含まれていた場合には、ＣＰＵ１は図５と同様に該当プログラム情報に従って機能を実行する（Ｓ２４、Ｓ２５）。逆にユーザー認証が有効で（Ｓ２２でＹ）、全てのプログラム情報が、ユーザー認証有効時にはプログラム実行を行わない設定であれば（Ｓ２３でＮ）、装置は一切のプログラム実行を行わずにそのまま定常状態へと移行する。
【実施例３】
【０００９】
図４は本発明におけるユーザーログイン時のプログラム実行に関する、プログラム登録のフローチャートである。前半は図２の（Ａ）（Ｓ１〜Ｓ４）と同一フローであるので、説明は省略する。
（Ａ）においてユーザーが装置の起動時にそのプログラムを実行するかどうかを選択した後、さらに、ユーザー認証有効時でも起動時にはそのプログラムを実行するかどうかを選択する（Ｓ５）。ここで実行する（Ｓ５でＹ）を選んだ場合は図３と同一である（Ｓ６、Ｓ７）。実行しない（Ｓ５でＮ）を選んだ場合は次に認証ユーザー毎に実行する、実行しないを選択することができる（Ｓ８）。
認証ユーザー毎に実行するを選んだ場合は（Ｓ８でＹ）、その対象ユーザーを選択して（Ｓ９）、その情報も含めたプログラム登録が行われる（Ｓ７）。認証ユーザー毎にも実行しないを選んだ場合には（Ｓ８でＮ）、そのままプログラム登録が行われる（Ｓ７）。
認証ユーザー毎にプログラム実行する、とは例えばＢ氏がログインした場合にはメール受信を行い、Ｃ氏がログインした場合には通信管理レポート出力を行う、というような実行機能の切り替えをすることである。ここで、複数のプログラム登録があり、それぞれの設定に“ユーザー認証有効時も常に実行する”や、“常には実行せず認証ユーザーによっては実行する”などが混在する場合が考えられるが、セキュリティ管理上、設定の優先順位としては“ユーザー認証有効時には実行しない”が最も高く、次に“ユーザーによっては実行する”、その次に“ユーザー認証有効時にも実行する”（＝常に実行する）となるのが妥当である。
【００１０】
図７は本発明におけるユーザーログイン時のプログラム実行に関する、電源投入時のフローチャートである。ユーザーが装置の電源を投入し、装置の初期化が終了すると（Ｓ３１）、ＣＰＵ１は装置の現在の状態が、ユーザー認証を有効にしている（ユーザーを制限している）状態かどうかを判断する（Ｓ３２）。
ここでユーザー認証が有効でないか（Ｓ３２でＮ）、図４で登録したプログラム情報の中に、ユーザー認証が有効でも常にプログラム実行を行う設定のものが含まれていた場合には（Ｓ３４でＹ）、ＣＰＵ１は図６と同様に該当プログラム情報に従って機能を実行する（Ｓ３５）。
また、ユーザー認証が有効で（Ｓ３２でＹ）、プログラム情報の中に、ユーザー認証が有効でも常にはプログラム情報を実行しない設定のものが含まれていたなら（Ｓ３３でＮ）、前記優先順位に従って、ＣＰＵ１はさらに、ある特定のユーザーがログインした時にだけプログラム実行を行うような設定となっているかどうかを確認する（Ｓ３６）。
ここで１つもしくは複数のプログラムにおいて、特定のユーザーログイン時のみ特定のプログラム実行を行うような設定になっていた場合は（Ｓ３６でＹ）、ユーザーログイン画面が操作パネル６上に出ている間待機する（Ｓ３７）。ここで特定のユーザーがログインしてきた場合は（Ｓ３８でＹ）、登録済みプログラム情報に従ってプログラムを実行し（Ｓ３５）、定常状態へ移行する。特定以外のユーザーがログインしてきた場合は、何も実行せず定常状態へ移行する。
【図面の簡単な説明】
【００１１】
【図１】本発明の実施の形態に係る画像処理装置のハードウェア構成例を示す図。
【図２】本発明における基本プログラム登録のフローチャート。
【図３】本発明におけるユーザー認証有効時のプログラム実行に関する、プログラム登録のフローチャート。
【図４】本発明におけるユーザーログイン時のプログラム実行に関する、プログラム登録のフローチャート。
【図５】本発明における電源投入時の自動プログラム実行機能のフローチャート。
【図６】本発明におけるユーザー認証機能を有効にしている場合の電源投入時に関するフローチャート。
【図７】本発明におけるユーザーログイン時のプログラム実行に関する、電源投入時のフローチャート。
【符号の説明】
【００１２】
１  ＣＰＵ（制御手段）
【図１】
2005260830.tif 000003
【図２】
2005260830.tif 000004
【図３】
2005260830.tif 000005
【図４】
2005260830.tif 000006
【図５】
2005260830.tif 000007
【図６】
2005260830.tif 000008
【図７】
2005260830.tif 000009